(57)【要約】【課題】  ＤＶＤ−ＲＡＭ、ＤＶＤ−ＲＷ，ＣＤ−ＲＷなど、書き換え型の光ディスクを収納するケースで、複数の出し入れ可能なインデックスカード保持構造を持つ、光ディスクケースを提供する。【解決手段】  ケース内ディスクホルダ部に複数のインデックスカードガイドを設け、光ディスク記録内容の情報を記載したインデックスカードの収納および光ディスク記録内容の書き換え、消去時に該当のインデックスカード内容を変更可能とする。【選択図】  図１
2006225029.tif 000002
【特許請求の範囲】
【請求項１】
ケースベース（３）にディスクホルダ（２）を持ち、このディスクホルダの片面にインデックスカードガイド（４）を複数保有し、個々のインデックスカード内容の入れ替えを可能とした光ディスクケース。
【請求項２】
ケースベース（３）にディスクホルダ（２）を持ち、このディスクホルダの片面をホワイトボード表面と同様の状態とし、ホワイトボード用ペンにてインデックス情報の記載・消去を可能とした光ディスクケース。
【請求項３】
ケースベース（３）にディスクホルダ（２）を持ち、ケース蓋（１）の裏側に複数のインデックスカードを保持するインデックスカードガイド（４）を付加し、個々のインデックスカードの入れ替えを可能とした光ディスクケース。
【発明の詳細な説明】
【技術分野】
【０００１】  本発明は、光ディスクドライブにセットして記録再生を行う光ディスクを収納するために用いる光ディスクケースに関するものである。
【背景技術】
【０００２】  従来の光ディスクケースの中で、記録内容が書き換え可能なＣＤ−ＲＷ、ＤＶＤ−ＲＷ、ＤＶＤ−ＲＡＭを収納するための光ディスクケースにおいて、光ディスクに記録されている内容などを表示するインデックスカード類は１枚の光ディスクに対して１枚のインデックスカードが光ディスクケースの内部に収納されている。（例えば、特許文献１、特許文献２、特許文献３参照）【０００３】
【特許文献１】  特許第２９９６９４４号公報（第１６頁、図１）
【特許文献２】  特開平１０−３５７６６号公報（第４頁、図１）
【特許文献３】  特開平９−１３４５８１号公報（第５頁、図１）
【発明の開示】
【発明が解決しようとする課題】
【０００４】ＣＤ、ＣＤ−Ｒ、ＤＶＤ−ＲＯＭ、ＤＶＤ−Ｒなどの光ディスクでは情報記録は一度のみ可能であり、また、一度記録した光ディスクに対しても追加記録のみが可能となっている。記録した内容の識別には光ディスクに付属のインデックスカードが１ケースに対し、１枚用意されており、このインデックスカードに内容を記録し、光ディスクケース内の所定の位置に収納できるようになっている。
最近はＤＶＤ−ＲＡＭやＤＶＤ−ＲＷを用いてテレビ画像を記録するＤＶＤレコーダが急速に普及してきている。このＤＶＤレコーダを用いてＤＶＤ−ＲＡＭ，ＤＶＤ−ＲＷなどの書き換え可能型光ディスクに番組を録画した場合、光ディスクケースに付属のインデックスカードに記録内容を記入し、後日の内容確認に利用することになる。一枚の書き換え型光ディスクには複数の番組が記録される場合も多く、この時に一枚のインデックスカードに複数の内容を記入することになる。
書き換え型光ディスクは記録されている複数の番組内容の一部を消去し、新たな番組を記録する使い方も多く、このときのインデックスカードへの対応は、一枚のインデックスカードに記載されている複数の番組項目のうち、消去項目に対し、“×”印等の消去表示を行い、新規の記録項目を追加記載することになり、番組の書き換えを重ねるうちにインデックスカードの記載面は非常に見難く、煩雑なものとなってしまい、非常に不便である。
【課題を解決するための手段】
【０００５】光ディスクケース内に光ディスクを保持するディスクホルダ（２）を配置し、このディスクホルダの光ディスクを収納する面と反対側の面に複数の小型インデックスカードを収納可能なインデックスカードガイド（４）を設けるようにした構造。
または、ディスクホルダの光ディスクを収納する面と反対側の面をホワイトボードと同様な、ホワイトボード用ペンにより記載／消去を可能とした面（８）とし、項目分割するインデックス区分ライン（９）を設けてホワイトボード用ペンにて複数のインデックス内容を個々に記載／消去を可能とした構成。
または、光ディスクケース蓋（１）の内側に、複数のインデックスカードを収納できるガイドを設け、インデックスカードを個々に入れ替え可能なようにした構成。光ディスクに記録した複数の内容を個別に変更することによって、内容の視認性、内容の変更性に優れた光ディスクケースを提供することが可能である。
【発明の効果】
【０００６】本発明により光ディスクケースは上記構造とすることにより、複数の個別インデックスカードを収容、または複数のインデックス内容を記載可能となり、その個別インデックス内容が変更になった場合でも、変更になった項目のみインデックスカードの入れ替えまたは、インデックス内容の書き換えが可能となる。
【発明を実施するための最良の形態】
【０００７】以下、本発明の実施形態について説明する。
図１は光ディスクケースの構成図である。
図２は光ディスクケースと収容される光ディスクを光ディスクケースの厚み方向に分解して示した分解構成図である。
図３は光ディスクが収容され、また、光ディスク収容面と反対側にインデックスカードが収容可能なディスクホルダの側面図である。【０００８】（イ）図１において、光ディスクを収納するためのディスクホルダ（２）はケース蓋（１）とケースベース（３）の中間に位置し、片面にディスククランプが形成されており、光ディスクはこのクランプに保持され、光ディスクケースに収納される。
（ロ）ディスクホルダ（２）のディスククランプが形成された反対の面には複数枚のインデックスカード（図の場合は３枚）を保持するインデックスカードガイド（４）が形成されている。
（ハ）複数あるインデックスカードガイドにはそれぞれ、光ディスク記録内容が記載できるインデックスカード（６）がセットされており、個々のカードは手で簡単に取り出すことが可能となっている。光ディスクに新たに記録した内容は、このインデックスカードに記載し、インデックスカードガイドにセットすることにより、光ディスクケースに収納後も、透明材質で作られたケース蓋側より、視認が可能となる。
（ニ）インデックスカードは記載内容の書き換え、新規カードへの交換、複数ある収納位置の入れ替えが可能で、利用者の好みに合わせて使用できる。
【実施例１】
【０００９】図４はホワイトボードと同様の記載面を保有するディスクホルダを組み込んだ光ディスクケースの構成図である。
図５は光ディスクケースと収容される光ディスクを光ディスクケースの厚み方向に分解して示した分解構成図である。
（イ）図４において、光ディスクを収容するためのディスクホルダ（２）は、ケース蓋（１）とケースベース（３）の中間に位置し、片面にディスククランプ（５）が形成されており、光ディスク（７）はこのクランプに保持され、光ディスクケースに収納される。
（ロ）ディスクホルダ（２）のディスククランプが形成された反対面（８）はホワイトボードと同等の処理が施されており、ホワイトボード用ペン等により、情報の記載、消去が簡単にできるようになっている。
ホワイトボード面（８）には複数のインデックス内容を記入する時に項目毎に区分可能な記入区分ライン（９）が材質の形成またはホワイトボード面への事前印刷により設けられ、ディスクホルダ面を複数のエリアに分割している。  これにより複数のインデックス情報の一部分の記載、消去が容易にできるようになっている。
（ハ）利用者は光ディスクに記録した内容のインデックス情報を簡単に記載・消去でき、その記載内容はケースを閉じた状態でも外側から視認可能となっている。
【実施例２】
【００１０】図６はケース蓋内側にインデックスカード保持ガイドを付加した光ディスクケースの構成図である。
図７は光ディスクケースと収容される光ディスクを光ディスクケースの厚み方向に分解して示した分解構成図である。
（イ）図６において、光ディスクを収容するためのディスクホルダ（２）は、ケース蓋（１）とケースベース（３）の中間に位置し、片面にディスククランプ（５）が形成されており、光ディスク（７）はこのクランプに保持され、光ディスクケースに収納される。
（ロ）ケース蓋の内面には複数枚のインデックスカード（図の場合は３枚）を保持するインデックスカードガイド（４）が形成されている。
（ハ）複数あるインデックスカードガイドにはそれぞれ、光ディスク記録内容が記載できるインデックスカード（６）がセットされており、個々のカードは手で簡単に取り出すことが可能となっている。光ディスクに新たに記録した内容は、このインデックスカードに記載し、インデックスカードガイドにセットすることにより、光ディスクケースに収納後も、透明材質で作られたケース蓋側より、視認が可能となる。
（ニ）インデックスカードは記載内容の書き換え、新規カードへの交換、複数ある収納位置の入れ替えが可能で、利用者の好みに合わせて使用できる。
【産業上の利用可能性】
【図面の簡単な説明】
【００１１】
【図１】本発明の斜視図、断面図
【図２】本発明の分解した斜視図
【図３】本発明のディスククランプの側面図
【図４】本発明の他の実施例１を示す斜視図、断面図
【図５】本発明の他の実施例１を分解した斜視図
【図６】本発明の他の実施例２を示す斜視図、断面図
【図７】本発明の他の実施例２を分解した斜視図
【符号の説明】
【００１２】１．  ケース蓋
２．  ディスクホルダ
３．  ケースベース
４．  インデックスカードガイド
５．  ディスククランプ
６．  インデックスカード
７．  光ディスク
８．  ホワイトボード面
９．  インデックス区分ライン
【図１】
2006225029.tif 000003
【図２】
2006225029.tif 000004
【図３】
2006225029.tif 000005
【図４】
2006225029.tif 000006
【図５】
2006225029.tif 000007
【図６】
2006225029.tif 000008
【図７】
2006225029.tif 000009